(57)【要約】【課題】非点灯時等にモアレ縞を発生することなくコントラストを向上させる等の光学機能を有するとともに、簡易な構成で生産性、コストの観点からも優れた光学シート、及び該光学シートを備えた表示装置を提供する。【解決手段】映像光源２の観察者側に配置され、該映像光源から投射された光を制御して観察者側に出射する層を備える光学シート１０であって、光を透過可能に形成されたプリズム部１２、１２、…、及び光を吸収可能に形成された光吸収部１３、１３、…がシート面に沿って交互に並列される光学機能シート層１１を備え、光学機能シート層より観察者側に配置される少なくとも１つの層１６〜２１、２３が光拡散機能を有することを特徴とするものとする。【選択図】図１
2008116592.tif 000002
【特許請求の範囲】
【請求項１】
映像光源の観察者側に配置され、該映像光源から投射された光を制御して前記観察者側に出射する層を備える光学シートであって、
光を透過可能に形成されたプリズム部、及び光を吸収可能に形成された光吸収部がシート面に沿って交互に並列される光学機能シート層を備え、
前記光学機能シート層より前記観察者側に配置される少なくとも１つの層が光拡散機能を有することを特徴とする光学シート。
【請求項２】
前記光学機能シート層の前記観察者側にポリエステル系樹脂を主成分とする基材層を備え、該基材層が前記光拡散機能を有することを特徴とする請求項１に記載の光学シート。
【請求項３】
前記光学機能シート層の前記観察者側にポリエステル系樹脂を主成分とする基材層を備え、該基材層が前記観察者側に他の層を接着するための粘着剤層を具備し、該粘着剤層が光拡散機能を有することを特徴とする請求項１又は２に記載の光学シート。
【請求項４】
前記光学機能シート層よりも前記観察者側に、電磁波を遮断する機能を有する層、ネオン線を遮断する機能を有する層、赤外線を遮断する機能を有する層、色調補正をする機能を有する層、又は反射を防止する機能を有する層、から選ばれる１又は複数の層を備え、
前記１又は複数の層の少なくとも１つが前記光拡散機能を有することを特徴とする請求項１〜３のいずれか一項に記載の光学シート。
【請求項５】
請求項１〜４のいずれか一項に記載の光学シートが、２０％以上のヘーズ値を有することを特徴とする光学シート。
【請求項６】
前記光拡散機能を有する層には光拡散剤が含有されることを特徴とする請求項１〜５のいずれか一項に記載の光学シート。
【請求項７】
前記光学機能シート層の前記プリズム部は、シート厚方向断面において前記映像光源側を短い上底とし、観察者側を長い下底とする略台形断面を有し、前記光吸収部は、前記プリズム部の間に配置され、前記シート厚方向断面において底辺を前記映像光源側とする略三角形断面を有することを特徴とする請求項１〜６のいずれか一項に記載の光学シート。
【請求項８】
前記光吸収部の前記略三角形断面の前記底辺端部からシート厚方向に延在する斜面部分と、シート面の法線と、の成す角が、前記シート厚方向の一方と他方とで異なるように、前記斜面部分が曲線及び／又は折れ線状であることを特徴とする請求項７に記載の光学シート。
【請求項９】
前記光吸収部の前記略三角形断面の前記底辺端部からシート厚方向に延在する斜面部分と、シート面の法線と、の成す角が、いずれの位置でも０〜１０度であることを特徴とする請求項７又は８に記載の光学シート。
【請求項１０】
前記プリズム部が屈折率Ｎｐである樹脂により形成され、前記光吸収部が屈折率Ｎｂである樹脂により形成されるとともに、前記屈折率Ｎｐの大きさが前記屈折率Ｎｂの大きさ以上であることを特徴とする請求項１〜９のいずれか一項に記載の光学シート。
【請求項１１】
前記光吸収部には、平均粒径が１μｍ以上の光吸収性を有する粒子が含有されることを特徴とする請求項１〜１０のいずれか一項に記載の光学シート。
【請求項１２】
請求項１〜１１のいずれか一項に記載の光学シートを備えることを特徴とする表示装置。
【発明の詳細な説明】
【技術分野】
【０００１】
本発明は、プラズマテレビ等の表示装置に用いられ、入射した光を適切に制御して観察者側に出射する光学シート、及び該光学シートを備える表示装置に関する。
【背景技術】
【０００２】
プラズマディスプレイパネル（以下、「ＰＤＰ」と記載することがある。）等の映像光源を用いたテレビ等の表示装置では、映像光源であるＰＤＰよりも観察者側に光学シートが配置されている。この光学シートはＰＤＰ等からの映像光を制御し、観察者に見易く適切な映像を提供する光学的な諸機能を有するシートである。
【０００３】
かかる光学シートは、それぞれの機能を有する各層が積層されることにより形成されている。当該層のうちの１つとして、映像光を透過して観察者側に映像を提供するプリズム部と、映像光や外光を適切に吸収、又は反射してコントラストを向上させたり、ゴーストを抑制したりする光吸収部とを備える光学機能シート層が設けられる場合がある。
【０００４】
ここで、当該光学機能シート層におけるプリズム部、及び光吸収部はシート面に沿って交互に並列されており、横縞、又は縦縞状である。このとき、ＰＤＰ等の映像光源の非点灯時、及び点灯時においても暗い映像、黒が多い映像が出射された場合（以下に「非点灯時等」と記載することがある。）に外光が画面に照射される。すると該外光がその強度を維持したまま光学シート及びＰＤＰ等で反射し、これらが所定の関係を有する場合に干渉してモアレ縞を生じる場合があった。当該モアレ縞が、非点灯時等における画面の外観の不具合となっていた。
【０００５】
これに対して、例えば特許文献１には、光学シートの積層構造が開示され、光学機能シート層のＰＤＰ側に光拡散層が備えられることが開示されている。この構成によれば、外光がＰＤＰ面や光学機能シート層で反射しても、光拡散層で光が拡散し、モアレ縞を生じるような光の干渉を抑えることができる。
【特許文献１】特開２００６−１８９８６７号公報
【発明の開示】
【発明が解決しようとする課題】
【０００６】
しかし、特許文献１に記載された光学シートように光拡散層を光学機能シート層のＰＤＰ側に配置すると、光拡散層を新たに貼り付ける必要があり、これがないときに比べて１層多くなる。従って、層を形成するための材料、及びその貼り合わせのための製造コストが高くなるという問題があった。また、１層増えることにより層が厚くなり、近年における表示装置の薄型に対応するための対策を取る必要があった。
【０００７】
そこで本発明では、非点灯時等にモアレ縞を発生することなくコントラストを向上させる等の光学機能を有するとともに、簡易な構成で生産性、コストの観点からも優れた光学シート、及び該光学シートを備えた表示装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、映像光源（２）の観察者側に配置され、該映像光源から投射された光を制御して観察者側に出射する層を備える光学シート（１０）であって、光を透過可能に形成されたプリズム部（１２、１２、…）、及び光を吸収可能に形成された光吸収部（１３、１３、…）がシート面に沿って交互に並列される光学機能シート層（１１）を備え、光学機能シート層より観察者側に配置される少なくとも１つの層（１６〜２１、２３）が光拡散機能を有することを特徴とする光学シートを提供することにより前記課題を解決する。
【００１０】
請求項２に記載の発明は、請求項１に記載の光学シート（１０）が光学機能シート層（１１）の観察者側にポリエステル系樹脂を主成分とする基材層（１６）を備え、該基材層が光拡散機能を有することを特徴とする。
【００１１】
ここで「主成分」とは、全体に対して５０％以上含有する成分を意味し、他に添加剤等が含まれても良い（以下同様）概念である。
【００１２】
請求項３に記載の発明は、請求項１又は２に記載の光学シート（１０）の光学機能シート層（１１）の観察者側にポリエステル系樹脂を主成分とする基材層（１６）を備え、該基材層が観察者側に他の層を接着するための粘着剤層（１７）を具備し、該粘着剤層が光拡散機能を有することを特徴とする。
【００１３】
請求項４に記載の発明は、請求項１〜３のいずれか一項に記載の光学シート（１０）が光学機能シート層（１１）よりも観察者側に、電磁波を遮断する機能を有する層（１８）、ネオン線を遮断する機能を有する層（１９）、赤外線を遮断する機能を有する層（２０）、色調補正をする機能を有する層（２１）、又は反射を防止する機能を有する層（２３）、から選ばれる１又は複数の層を備え、１又は複数の層の少なくとも１つが光拡散機能を有することを特徴とする。
【００１４】
請求項５に記載の発明は、請求項１〜４のいずれか一項に記載の光学シート（１０）が２０％以上のヘーズ値を有することを特徴とする。
【００１５】
ここでヘーズ値とは、光学シートの全光線透過率に対する拡散透過率の占める割合であり、ＪＩＳ  Ｋ７１０５に基づく方法により得られる値である。
【００１６】
請求項６に記載の発明は、請求項１〜５のいずれか一項に記載の光学シート（１０）の光拡散機能を有する層には光拡散剤（２５、２５、…）が含有されることを特徴とする。
【００１７】
請求項７に記載の発明は、請求項１〜６のいずれか一項に記載の光学シート（１０）の光学機能シート層（１１）のプリズム部（１２、１２、…）は、シート厚方向断面において映像光源側を短い上底とし、観察者側を長い下底とする略台形断面を有し、光吸収部（１３、１３、…）は、プリズム部の間に配置され、シート厚方向断面において底辺を映像光源側とする略三角形断面を有することを特徴とする。
【００１８】
請求項８に記載の発明は、請求項７に記載の光学シート（１０）の光吸収部（１３、１３、…）の略三角形断面の底辺端部からシート厚方向に延在する斜面部分と、シート面の法線と、の成す角が、シート厚方向の一方と他方とで異なるように、斜面部分が曲線及び／又は折れ線状であることを特徴とする。
【００１９】
ここで斜面部分が曲線である場合の「成す角」は、該斜面部分を１０等分し、その端点を結ぶ直線と、シート面法線との成す角を意味する（以下同様）。
【００２０】
請求項９に記載の発明は、請求項７又は８に記載の光学シート（１０）の光吸収部（１３、１３、…）の略三角形断面の底辺端部からシート厚方向に延在する斜面部分と、シート面の法線と、の成す角が、いずれの位置でも０〜１０度であることを特徴とする。
【００２１】
請求項１０に記載の発明は、請求項１〜９のいずれか一項に記載の光学シート（１０）のプリズム部（１２、１２、…）が屈折率Ｎｐである樹脂により形成され、光吸収部（１３、１３、…）が屈折率Ｎｂである樹脂により形成されるとともに、屈折率Ｎｐの大きさが屈折率Ｎｂの大きさ以上であることを特徴とする。
【００２２】
請求項１１に記載の発明は、請求項１〜１０のいずれか一項に記載の光学シート（１０）の光吸収部（１３、１３、…）には、平均粒径が１μｍ以上の光吸収性を有する粒子（１５、１５、…）が含有されることを特徴とする。
【００２３】
ここで「平均粒径が１μｍ以上」であることにおける「１μｍ」とは、重量分布法による粒度測定で得られる値である。
【００２４】
請求項１２に記載の発明は、請求項１〜１１のいずれか一項に記載の光学シート（１０）を備えることを特徴とする表示装置（１）により前記課題を解決する。
【００２５】
ここで表示装置は、映像光源を備えたものであれば特に限定されるものではなく、これには例えばプラズマテレビ、液晶テレビ、プロジェクションテレビ、及びＳＥＤ（Surface-conduction  Electron-emitter  Display）テレビ等を挙げることができる。
【発明の効果】
【００２６】
本発明によれば、光学シートに光拡散機能を有する層が備えられているので、ＰＤＰの非点灯時等においてモアレ縞の発生が抑制される。これにより、外観に優れたプラズマテレビとすることが可能な光学シートを提供することができる。また、当該光拡散機能がＰＤＰ側に設けられた１つの層によるのではなく、他の機能を有する層により構成されるので新たな層を追加的に積層させる必要がない。これにより光学シート全体として薄くすることができるとともに、その製造においても工程を省くことができ、生産性、コストの観点からも優れた光学シートとすることが可能である。
【００２７】
本発明のこのような作用及び利得は、次に説明する発明を実施するための最良の形態から明らかにされる。
【発明を実施するための最良の形態】
【００２８】
以下本発明を図面に示す実施形態に基づき説明する。
【００２９】
図１は１つの実施形態にかかる本発明の光学シート１０の断面を示し、その層構成を模式的に表した図である。図１では、見易さのため繰り返しとなる符号は一部省略している（以降に示す各図において同じ。）。光学シート１０は、光学機能シート層１１、基材層としてのポリエチレンテレフタレート（以下、「ＰＥＴ」と記載することがある。）フィルム層１６、粘着剤層１７、電磁波遮蔽層１８、ネオン線カット層１９、赤外線カット層２０、色調補正層２１、ガラス層２２、及び反射防止層２３を備えている。本実施形態では、上記各層は図１で示した断面を維持して紙面奥／手前方向に延在するように形成されている。以下に各層について説明する。
【００３０】
光学機能シート層１１は、図１に示したように光学シート１０のシート面に直交する断面において断面が略台形であるプリズム部１２、１２、…と、該プリズム部１２、１２、…の間に配置される光吸収部１３、１３、…とを備えている。図２に、図１に示した光学シートのうち１つの光吸収部１３とこれに隣接するプリズム部１２、１２を拡大して示した。図１、及び図２を参照しつつ光学機能シート層１１について説明する。
【００３１】
プリズム部１２、１２、…は略台形断面における短い上底を光学シート１０のシート面に、長い下底をＰＥＴフィルム層１６側に面して配置される。また、プリズム部１２、１２、…は、屈折率Ｎｐを有する光透過性樹脂で構成されている。これは通常、電離放射線、紫外線等により硬化する特徴を有する例えばエポキシアクリレート等により形成されている。
【００３２】
光吸収部１３、１３、…は、プリズム部１２、１２、…の間に配置される略三角形断面を有する要素である。当該三角形断面の底辺に相当する面がプリズム部１２、１２、…の上底側のシート面に面するように配置されている。このとき該三角形断面の斜面は、光学シート１０のシート面の法線方向に対して０〜１０度の角度を有していることが好ましい。
【００３３】
また、当該斜面の傾きは必ずしも一定である必要はなく折れ線状とされていてもよい。さらには曲線状とされてもよい。図３に光吸収部１３’、１３’’の斜面が折れ線状とされた例（図３（ａ））、及び曲線状とされた例（図３（ｂ））を示した。図３（ａ）に示した場合には、光吸収部１３’の斜面（プリズム部１２’、１２’の斜面）は、１つの平面からではなく、２つの平面から構成されている。すなわち断面において折れ線状の斜面を有している。詳しくは、底面側の斜面は光学シートのシート出光面に対して角度θ１を有している。一方、ＰＥＴフィルム層１６側（紙面右側）に配置される斜面は光学シートのシート出光面に対して角度θ２を有している。この角度は、θ１＞θ２の関係であるとともにいずれも０〜１０度の範囲であることが好ましい。さらに好ましい角度は０〜６度である。また、２つの斜面は、光学機能シート層１１の厚み方向にＴ１とＴ２に分ける位置で交差する。Ｔ１とＴ２とは同じ大きさであることが好ましい。これは２つの平面により構成されている例であるが、さらに多くの平面で構成されることにより、断面における折れ線状が形成されても良い。
【００３４】
図３（ｂ）に示した場合には、光吸収部１３’’の斜面（プリズム部１２’’、１２’’、…の斜面）は曲面で構成されている。このように斜面が曲面であっても良い。この場合でも、当該斜面と光学シートのシート出光面との成す角は、底面側よりＰＥＴフィルム層１６側の方が小さいことが好ましい。さらにその角度もいずれの部分でも０〜１０度の範囲であることが好ましい。さらに好ましい角度は０〜６度である。ここで、斜面とシート出光面との成す角は、斜面を１０等分し、各端部を結ぶ線と、シート出光面との成す角により定義される。
【００３５】
また、光吸収部１３、１３、…は、プリズム部１２、１２、…と同じ、又は小さい屈折率Ｎｂを有する所定の材料により構成されている。このようにプリズム部１２、１２…の屈折率Ｎｐと光吸収部１３、１３、…の屈折率ＮｂとをＮｐ≧Ｎｂとすることにより、所定の条件でプリズム部１２、１２、…に入射した光源からの映像光を光吸収部１３、１３、…とプリズム部１２、１２、…との界面で適切に反射させ、観察者に明るい映像を提供することができる。ＮｐとＮｂとの屈折率の差は特に限定されるものではないが、０〜０．０６であることが好ましい。
【００３６】
加えて、本実施形態における光吸収部１３、１３、…は、光吸収粒子１５、１５、…を含有し、その間にバインダー材を充填してバインダー部１４とすることにより構成されている。これにより、光吸収部１３、１３、…は、プリズム部１２、１２、…と、光吸収部１３、１３、…との界面で反射せず、該光吸収部１３、１３、…の内側に入射した映像光を吸収することができる。加えて所定の角度で入射した観察者側からの外光を適切に吸収することができ、映像光のコントラストを向上させることが可能となる。このときバインダー部１４のバインダー材が上記の屈折率Ｎｂである材料により構成される。バインダー材として用いられるものは特に限定されないが、これには例えば、電離放射線、紫外線等により硬化する特徴を有するウレタンアクリレート等を挙げることができる。また、光吸収粒子１５、１５、…は、粒径が１μｍ以上であることが好ましい。当該粒子は光吸収性を有していれば特に限定されるものではないが、黒色であることが好ましく、これには市販の粒子を用いることもできる。
【００３７】
光を吸収させるための手段は本実施形態のように光吸収粒子による方法に限定されるものではない。他には例えば、顔料や染料により光吸収部全体を着色することを挙げることができる。
【００３８】
以上に、本実施形態における光学シート１０に備えられる光学機能シート層１１について説明したが、光学機能シート層の構成はこれに限定されるものではない。例えば、光吸収部が三角形断面でなく台形断面であってもよい。このときには短い上底がＰＥＴフィルム層側に面して配置される。光学機能シート層は、映像光のコントラスト、輝度、視野角等を適切に制御して観察者側に出射する目的を有するシートであればその構成は特に限定されない。
【００３９】
次にＰＥＴフィルム層１６について説明する。ＰＥＴフィルム層１６は、該ＰＥＴフィルム層１６上に上記光学機能シート層１１を形成するためのベースとなるフィルム層で、ＰＥＴを主成分としている。当該ＰＥＴフィルム層１６はＰＥＴを主成分として含有していれば良く、他の樹脂が含まれてもよい。また、各種添加剤を適宜な量添加してもよい。一般的な添加剤としては、フェノール系等の酸化防止剤、ラクトン系等の安定剤等を挙げることができる。
【００４０】
また、本実施形態では当該ＰＥＴフィルム層１６に光拡散粒子２５、２５、…が分散されている。図４に模式図を示す。光拡散粒子２５、２５、…を含有させることにより、外光が該光拡散粒子２５、２５、…により拡散され、非点灯時等におけるモアレ縞を抑制することが可能となる。光路等については後で説明する。従って、光学機能シート層のＰＤＰ側に新たに光拡散層を積層させる必要がなく、コスト、及び生産性の向上をはかることができる。
【００４１】
ここで、光拡散粒子として用いられるものは光を拡散可能とするものであれば特に限定されるものではないが、これには例えばシリカ、有機アクリル系、スチレン系等を挙げることができる。粒子径や混入濃度等も必要な光拡散の程度により適宜決められるが、粒子径に関しては１〜２０μｍが好ましく、混入濃度は０％より大きく、３０％以下であることが好ましい。
【００４２】
本実施形態では、光拡散粒子２５、２５、…を含有させることによりＰＥＴフィルム層１６に光を拡散させる機能を有するものとしたが、光を拡散させるための方法はこれに限定されるものではない。これには例えば接着面において、屈折率差を有するマット面であること等を挙げることができる。
【００４３】
ここで説明した本発明の光学シートにおいて、基材層については、その材料は必ずしもＰＥＴであることは必要なく、ポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からＰＥＴを主成分とする樹脂が好ましい材料であるとして説明した。
【００４４】
粘着剤層１７は、後述するようにガラス層２２の表裏に配置される電磁波遮蔽層１８、ネオン線カット層１９、赤外線カット層２０、色調補正層２１、及び反射防止層２３と、ＰＥＴフィルム層１６とを接着するための粘着剤が配置された層である。粘着剤層１７に用いられる粘着剤は光を透過するとともに、適切に上記接着をさせることができればその材質は特に限定されるものではない。これには例えばアクリル系の共重合体等を挙げることができ、その粘着力は数Ｎ／２５ｍｍ〜２０Ｎ／２５ｍｍ程度が好ましい。
【００４５】
電磁波遮蔽層１８、ネオン線カット層１９、赤外線カット層２０、色調補正層２１、及び反射防止層２３は、当該各層の名称が表す機能を備えた層である。具体的には、電磁波遮蔽層１８は、光学シート１０を透過しようする電磁波を遮蔽する層、ネオン線カット層１９は、主に表示装置から観察者側に出射するネオン線をカットする層である。また、赤外線カット層２０は、光学シート１０を透過しようする近赤外線を含む赤外線をカットする層、色調補正層２１は映像光源から観察者側へ出射される映像光の色調をより適切に補正する層である。反射防止層２３は、外光が光学シート１０で反射して観察者側へ戻り、これにより映像が見え難くなることを防止する層である。
【００４６】
いずれの層も通常に用いられる上記機能を有するフィルム等が積層されることにより構成され、市販のものを利用することができる。
【００４７】
ガラス層２２は、板状ガラスにより形成された層で、上記電磁波遮蔽層１８、ネオン線カット層１９、赤外線カット層２０、色調補正層２１、及び反射防止層２３等がその表裏に積層され、各層の基礎となる層である。
【００４８】
以上のような構成を有する光学シート１０により、該光学シート１０に外光が入射しても、ＰＥＴフィルム層１６の光拡散粒子２５、２５、…により光が拡散される。すなわちＰＤＰの非点灯時等において外光が入射しても、光の干渉が抑制されるのでモアレ縞の発生を抑えることができる。
【００４９】
また、本発明の光学シート１０は、従来と異なり、光拡散層を新たに設ける必要がないので、全体としてシートを薄くすることができる。また、層を積層する工程を１つ省くことが可能となり、生産性にも優れたものとなる。
【００５０】
以上説明した実施形態の光学シート１０では、光拡散機能を有する層をＰＥＴフィルム層１６とした。しかし、本発明の光学シートはこれに限定されるものではない。具体的には、上記した粘着剤層１７、電磁波遮蔽層１８、ネオン線カット層１９、赤外線カット層２０、色調補正層２１、反射防止層２３のいずれか、又はここから選ばれる複数の層に光拡散機能を付与してもよい。具体的には、上記各層に光拡散粒子を含有させることにより光拡散機能を付与することが可能となる。また他にも、接着界面において、屈折率差を有するマット面としてもよい。
【００５１】
次に、以上のような本発明の光学シート１０が表示装置であるプラズマテレビ１に取り付けられた時の構成及びそのときの光路等について説明する。図５は光学シート１０がＰＤＰ２の映像光投射側に配置され、該ＰＤＰ２及び光学シート１０がプラズマテレビ１に備えられた場面において、該ＰＤＰ２及び光学シート１０が配置される部分に注目して示した断面図である。図５では紙面右が観察者側である。図６は、図５の一部を拡大して示した光路を説明するための模式図である。
【００５２】
図５に示したように、本発明の光学シート１０は、映像光源であるＰＤＰ２に対してＡで示した間隙を有して観察者側に配置される。
【００５３】
次に図６を参照しつつ光路について説明する。光拡散機能を有するＰＥＴフィルム層１６に入射した外光Ｌ１、Ｌ２は、ここで光Ｌ１１〜Ｌ１３のように拡散されつつＰＥＴフィルム層１６を透過する（外光Ｌ２についても同様であるが、ここでは見易さのため、外光Ｌ２に関してはこの後の光路の記載を省略する。）。その後光Ｌ１１〜Ｌ１３は、プリズム部１２を透過し、さらに間隙Ａを通り、ＰＤＰ２で反射する。該反射した光の一部であるＬ１１は、光吸収部１３の底面側で反射し、再びＰＤＰ２へ反射した後、プリズム部１２を透過してＰＥＴフィルム層１６へ入射する。一方、光Ｌ１２、Ｌ１３は１度ＰＤＰ２で反射してプリズム部１２を透過し、ＰＥＴフィルム層１６へ入射する。このとき、光Ｌ１１〜Ｌ１３の各々は、光Ｌ１から拡散しているのでその強度は光Ｌ１に比べて小さい。モアレ縞の発生は、所定の強度を維持しつつ、外光がＰＤＰや光吸収部で反射し、再び観察者側へ出射する場合において生じる光吸収部のピッチと、上記反射光のピッチとの違いが原因の１つだと考えられる。本発明の光学シートでは、外光が上記のように拡散され、各々の光の強度が弱められるので、プラズマテレビ１の外観に影響するようなモアレ縞の発生を抑制することができる。
【００５４】
さらに、ＰＤＰ２から反射して観察者側に出射される光は、再びＰＥＴフィルム層１６を透過するので、さらに拡散され、干渉縞の発生を抑制することが可能である。
【００５５】
以上のような構成を備える光学シートに関して、以下に実施例を示し、さらに詳しく説明する。ただし、本発明は実施例の範囲に限定されるものではない。
【実施例】
【００５６】
実施例として、光拡散層を設けることにより大きくなるヘーズ値により該光拡散層の効果を試験した例を示す。以下に条件、及び結果について説明する。
＜試験試料＞
試験試料は光吸収部のピッチ、光吸収部の占有面積率、光吸収部の斜面の角度を固定し、ヘーズ値を変化させた９種類とした。ここで光吸収部の占有面積率は、光学シートの光源側に配置される面において、該面の面積に対するそこに表れる光吸収部の面積の比（％）により表される。
＜ヘーズ値＞
ヘーズ値は、光学シートの全光線透過率に対する拡散透過率の占める割合である。測定方法はＪＩＳ  Ｋ７１０５に準拠する。ここでヘーズ値が高いものが拡散の程度が大きいもの、ヘーズ値が低いものは拡散の程度が小さいものである。このヘーズ値の変更は、光拡散粒子の含有割合により調整した。
＜評価＞
モアレ縞の発生の評価は、目視により行い、従来よりも良好であれば△、さらに良い場合には○とした。
【００５７】
以下に結果を説明する。表１に上記した条件及び評価結果（明暗縞）を示した。
【００５８】
【表１】
2008116592.tif 000003
【００５９】
表１に示したように、本実施例では、本発明の上記構成を備えることにより、明暗縞（モアレ縞）を解消できることがわかった。さらにヘーズ値が２０％以上となるような拡散機能を備えることによりその効果はさらに顕著に現れる。すなわち、本発明の光学シートにより、ＰＤＰの非点灯時等にモアレ縞を解消することが可能となる。
【００６０】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シート及び表示装置等も本発明の技術的範囲に包含されるものとして理解されなければならない。
【図面の簡単な説明】
【００６１】
【図１】１つの実施形態にかかる本発明の光学シートの断面を示し、その層構成を模式的に表した図である。
【図２】光学機能シート層の断面における一部を拡大して示した図である。
【図３】光吸収部の他の例を示した図である。
【図４】ＰＥＴフィルム層及び該ＰＥＴフィルム層に含有される光吸収粒子を模式的に示した図である。
【図５】本発明の光学シートがプラズマテレビに備えられた場面における光学シート、及びＰＤＰの部分の層構成を模式的に表した図である。
【図６】図５に表したプラズマテレビにおける映像光の光路例を示した図である。
【符号の説明】
【００６２】
１  プラズマテレビ（表示装置）
２  プラズマディスプレイパネル（映像光源）
１０  光学シート
１１  光学機能シート層
１２  プリズム部
１３  光吸収部
１４  バインダー部
１５  光吸収粒子
１６  ＰＥＴフィルム層（基板層）
１７  粘着剤層
１８  電磁波遮蔽層
１９  ネオン線カット層
２０  赤外線カット層
２１  色調補正層
２２  ガラス層
２３  反射防止層
２５  光拡散剤
【図１】
2008116592.tif 000004
【図２】
2008116592.tif 000005
【図３】
2008116592.tif 000006
【図４】
2008116592.tif 000007
【図５】
2008116592.tif 000008
【図６】
2008116592.tif 000009